【手続補正書】
【提出日】平成19年7月25日(2007.7.25)
【手続補正１】
【補正対象書類名】特許請求の範囲
【補正対象項目名】請求項４
【補正方法】変更
【補正の内容】
【請求項４】
前記制御手段は、前記送信機に前記低い送信電力で非接触ＩＣカード用の信号を送信させ、前記受信機によって前記別の装置から受信した応答信号の中に第１の識別情報を検出したとき、高い送信電力で前記送信機に信号を送信させて第１の所定の情報を検出し、次いで、前記送信機に前記低い送信電力でＲＦ ＩＤタグ用の信号を送信させ、前記受信機によって前記別の装置から受信した応答信号の中に第２の識別情報を検出したとき、高い送信電力で前記送信機に信号を送信させて第２の所定の情報を検出することを特徴とする、請求項１に記載の情報処理装置。
【手続補正２】
【補正対象書類名】明細書
【補正対象項目名】００２９
【補正方法】変更
【補正の内容】
【００２９】
図３Ｂにおいて、リーダ／ライタ２００は、４３２で示された状態Ｓ００にあるときに他の検出モード（例えば、ＭＯＤＥ  Ａ）において応答の受信が前に検出されたとき、現在のＲＦ ＩＤタグ検出モードＭＯＤＥ  Ｂについて矢印４４２で示されているように４３４で示された状態Ｓ０１に移行する。状態Ｓ０１では、リーダ／ライタ２００は、ＲＦ ＩＤタグ検出モードＭＯＤＥ  Ｂについて短いポーリング周期ＰＳ（例えば、ポーリング周期２００ｍｓ）および低い送信電力ＬＬ（例えば、２５ｍＷ）を設定する。リーダ／ライタ２００は、状態Ｓ０１にあるときに全ての検出モードにおいて所定の時間期間だけ応答受信が検出されないときは、タイムアウトにより矢印４５２で示されているように状態Ｓ００に戻る。
【手続補正３】
【補正対象書類名】明細書
【補正対象項目名】００３０
【補正方法】変更
【補正の内容】
【００３０】
リーダ／ライタ２００は、状態Ｓ００にあるときに現在のＲＦ  ＩＤタグ検出モードＭＯＤＥ  ＢについてＲＦ ＩＤタグ３５０からの応答の受信を検出すると、矢印４４４で示されているように４３６で示された状態Ｓ２に移行する。状態Ｓ２では、リーダ／ライタ２００は、短いポーリング周期ＰＳ（例えば、ポーリング周期２００ｍｓ）および高いまたは最高の送信電力ＨＬ（例えば、１００ｍＷ）を設定する。リーダ／ライタ２００は、状態Ｓ２にあるときに全ての検出モードにおいて所定の時間期間だけ応答受信が検出されないときは、タイムアウトにより矢印４５４で示されているように状態Ｓ００に戻る。
【手続補正４】
【補正対象書類名】明細書
【補正対象項目名】００３５
【補正方法】変更
【補正の内容】
【００３５】
図６Ｂにおいて、状態Ｓ０１において、例えば２００ｍｓのような短いポーリング周期ＰＳにおいて、最初のタイムスロット６２でポーリング信号が送信され、次の短いタイムスロット６４で無変調信号を送信して固有ＩＤを含む応答信号の受信の有無が検出され、その後の例えば１８０ｍｓのような短い遅延時間ＤＳ８６の期間において送信が中断される。
【手続補正５】
【補正対象書類名】明細書
【補正対象項目名】００３９
【補正方法】変更
【補正の内容】
【００３９】
ステップ７２０において、データ制御部２１０は、状態制御部２７０によって設定された検出モードＭｉでデータを送信および受信し、それによってリーダ／ライタ２００は非接触ＩＣカード３１０またはＲＦ ＩＤタグ３５０をポーリングしてその応答を検出する。最初は、リーダ／ライタ２００は低い送信電力ＬＬで送信する。応答には非接触ＩＣカード３１０またはＲＦ ＩＤタグ３５０の固有ＩＤが含まれている。非接触ＩＣカード３１０またはＲＦ ＩＤタグ３５０は、ポーリングされると、送信部２３０から受信した電磁波によって充電されたキャパシタのエネルギを用いて固有ＩＤのデータで変調した応答信号を送信し返す。受信電磁波のエネルギが充分大きいときは、非接触ＩＣカード３１０またはＲＦ ＩＤタグ３５０は、固有ＩＤを送信した後、リーダ／ライタ２００からのリード命令に従って、メモリ３２０に格納されているデータを送信することができ、ライト命令に従って受信データをメモリ３２０に書き込むことができる。低い送信電力ＬＬに対応する小さいエネルギの電磁波を受信したときは、非接触ＩＣカード３１０またはＲＦ ＩＤタグ３５０は固有ＩＤを含む応答信号を低い電力で送信することができるだけである。
【手続補正６】
【補正対象書類名】明細書
【補正対象項目名】００４６
【補正方法】変更
【補正の内容】
【００４６】
長い遅延ＤＬの後、リーダ／ライタ２００は検出モードＭ１およびその状態Ｓ００を設定し、低い送信電力ＬＬでタイムスロット０２１においてポーリングを行う。タイムスロット０２２において受信データ、即ちＲＦ ＩＤタグ３５０の固有ＩＤが検出される（ＴＧ−Ｂ  ＤＴ）が、受信電力レベルが低いのでデータ・エラーを生じる。短い遅延ＤＳの後、リーダ／ライタ２００は同じ検出モードＭ１およびその状態Ｓ２を設定し、高い送信電力ＨＬでタイムスロット０２３においてポーリングを行う。タイムスロット０２４において受信データ、即ち同じ固有ＩＤが検出され、受信電力レベルが充分大きいので受信確認（ＡＣＫ）を生じ、リーダ／ライタ２００は必要に応じて読み出し命令を送信し（ＴＧ−Ｂ  ＲＤ）非接触ＩＣカード３１０に対して読み出しおよび／または書き込みを行う。短い遅延ＤＳの後、リーダ／ライタ２００は検出モードＭ０およびその状態Ｓ０１を設定し、低い送信電力ＬＬでタイムスロット０２５においてポーリングを行う。タイムスロット０２６において受信データは検出されない（ＮＤ）。短い遅延ＤＳの後、タイムスロット０２７〜０２８においてタイムスロット０２３〜０２４と同様の処理が行われる。タイムスロット０２９〜０３６において、タイムスロット０２５〜０２８と同様の処理が行われるが、受信データは検出されない（ＮＤ）。タイムスロット０３６において、タイムスロット０２８の後にセットされたタイマ２７４がタイムアウトを示す。タイムスロット０３７において、リーダ／ライタ２００は最初の状態に戻って、再び検出モードＭ０において状態Ｓ００を設定し、低い送信電力ＬＬでポーリングを行い、タイムスロット０３８において応答を待つ。
【手続補正７】
【補正対象書類名】明細書
【補正対象項目名】００５６
【補正方法】変更
【補正の内容】
【００５６】
図１３Ａのステップ１２０２において、状態制御部２７０は、送信間隔制御部２８４を制御して次のポーリングの前に長い時間遅延ＤＬ（例えば４８０ｍｓ）を与えさせ、非接触ＩＣカード検出モードＭ０に従ってデータ符号化部２２０および変調部２３２を所定の符号化方式および変調方式に設定し、送信電力制御部２８２を制御して送信電力増幅部２３４を低いまたは最低の送信電力ＬＬに設定する（状態Ｓ００）。データ制御部２１０は、状態制御部２７０によって設定された検出モードＭ０でデータを送信および受信し、それによってリーダ／ライタ２００は非接触ＩＣカード３１０をポーリングしてその応答を検出する。その期間中、プロセッサ１７０は、ユーザに対して非接触ＩＣカード３１０を近づけるよう指示するための図１４Ａの画面、即ち非接触ＩＣカード待ち受け画面を表示装置１７４に表示させる。ステップ１２０４において、リーダ／ライタ２００は非接触ＩＣカード３１０の固有ＩＤを検出したかどうかを判定する。それが検出されなかった場合は、手順はステップ１２０２に戻る。ステップ１２０２および１２０４はそれが検出されるまで繰り返される。
【手続補正８】
【補正対象書類名】明細書
【補正対象項目名】００５８
【補正方法】変更
【補正の内容】
【００５８】
ステップ１２０８においてそれが検出された場合には、図１３Ｂのステップ１２１０において、状態制御部２７０は、送信間隔制御部２８４を制御して長い時間遅延ＤＬ（例えば４８０ｍｓ）を与えさせ、ＲＦ ＩＤタグ検出モードＭ１を設定し、送信電力制御部２８２を制御して低いまたは最低の送信電力ＬＬを設定させ、それによってリーダ／ライタ２００がポーリングを行う（状態Ｓ００）。その期間中、プロセッサ１７０は、ユーザに対してＲＦ ＩＤタグ３５０を近づけるよう指示するための図１４Ｂの画面、即ちＲＦ ＩＤタグ待ち受け画面を表示装置１７４に表示させる。ステップ１２１２において、状態制御部２７０はＲＦ ＩＤタグ３５０の固有ＩＤを検出したかどうかを判定する。それが検出されなかった場合は、ステップ１２１４において、状態制御部２７０はＲＦ ＩＤタグの未検出が所定の時間期間だけ継続したかどうか、即ちタイムアウトかどうかを判定する。タイムアウトであると判定された場合は、手順は図１３Ａのステップ１２０２に戻る。タイムアウトでないと判定された場合は、手順はステップ１２１０に戻る。
【手続補正９】
【補正対象書類名】図面
【補正対象項目名】図８
【補正方法】変更
【補正の内容】
【図８】
2005303697.tif 000001